(57)【要約】      （修正有）【課題】容易に戸体を吊り込むことができる建具を提供すること。【解決手段】建物の開口部に配置される枠体３と、枠体３の内側に配置される戸体２と、枠体３を構成する縦枠３２の見込み面３２ａに取り付けられる枠体側羽根板４１と、該枠体側羽根板４１の室外側端部から上方に向かって突出する軸部４２と、戸体２の吊元側の側面に取り付けられる戸体側羽根板と、戸体側羽根板の軸部４２側の端部に設けられ軸部４２を受ける軸受け部４４と、を有し、戸体２を開閉可能に枠体３に連結する丁番と、を備える建具１であって、軸部４２及び軸受け部４４は、枠体３を構成する上枠３１における室外側端部よりも室内側に配置され、戸体２を上枠３１の室外側端部よりも室外側から室内側へ見込み方向に移動させることが可能な移動機構を有する建具１である。【選択図】図３
2018127861.tif 000002
【特許請求の範囲】
【請求項１】
建物の開口部に配置される枠体と、
前記枠体の内側に配置される戸体と、
前記枠体を構成する縦枠の見込み面に取り付けられる枠体側羽根板と、該枠体側羽根板の室外側端部から上方に向かって突出する軸部と、前記戸体の吊元側の側面に取り付けられる戸体側羽根板と、該戸体側羽根板の前記軸部側の端部に設けられ前記軸部を受ける軸受け部と、を有し、前記戸体を開閉可能に前記枠体に連結する丁番と、を備える建具であって、
前記軸部及び前記軸受け部は、前記枠体を構成する上枠における室外側端部よりも室内側に配置され、
前記戸体を前記上枠の室外側端部よりも室外側から室内側へ見込み方向に移動させることが可能な移動機構を有する建具。
【請求項２】
前記移動機構は、
前記枠体側羽根板又は前記縦枠に形成され、見込み方向に延びる長孔と、
前記長孔に挿通され、前記縦枠の見込み面に前記枠体側羽根板を見込み方向に移動可能に仮固定する仮固定部材と、により構成される請求項１に記載の建具。
【請求項３】
前記枠体側羽根板は、固定部材を挿通して前記縦枠の見込み面に前記枠体側羽根板を固定するための固定用孔を有する請求項１又は２に記載の建具。
【請求項４】
前記戸体の吊元側端部に取り付けられ、前記吊元側端部から前記丁番の室外側を覆うように見付け方向に延びるカバー部材をさらに備え、
前記カバー部材の室外側の見付け面は、前記戸体の室外側の見付け面と面一である請求項１から３いずれかに記載の建具。
【請求項５】
請求項１に記載の建具における前記戸体の吊り込み方法であって、
前記戸体側羽根板が取り付けられた前記戸体を吊り込んで前記軸受け部に前記軸部を挿通する吊り込み工程と、
前記吊り込み工程後、前記移動機構により、前記戸体が前記上枠の室外側端部より室外側から室内側に配置されるように前記枠体側羽根板を移動させる室外−室内移動工程と、を有する戸体の吊り込み方法。
【請求項６】
前記吊り込み工程前に、前記移動機構により、前記戸体を室内側から前記枠体の室外側端部よりも室外側に配置されるように前記枠体側羽根板を移動させる室内−室外移動工程と、をさらに有する請求項５に記載の戸体の吊り込み方法。
【請求項７】
請求項２に記載の建具における前記戸体の吊り込み方法であって、
前記長孔に前記仮固定部材を挿通することにより、前記枠体側羽根板を見込み方向に移動可能に仮固定する仮固定工程と、
前記仮固定工程後、前記移動機構により、前記戸体が取り付けられた場合に前記戸体を室内側から前記枠体の室外側端部よりも室外側に配置される位置まで前記枠体側羽根板を移動させる室内−室外移動工程と、
前記室内−室外移動工程後、前記戸体側羽根板が取り付けられた前記戸体を吊り込んで前記軸受け部に前記軸部を挿通する吊り込み工程と、
前記吊り込み工程後、前記移動機構により、前記戸体が前記上枠の室外側端部より室外側から室内側に配置されるように前記枠体側羽根板を移動させる室外−室内移動工程と、を有する戸体の吊り込み方法。
【請求項８】
前記室内−室外移動工程の後、前記吊り込み工程の前に、前記仮固定部材を一時的に強く締結する一時締結工程と、を有する請求項７に記載の戸体の吊り込み方法。
【請求項９】
請求項３に記載の建具における前記戸体の吊り込み方法であって、
前記移動機構により、前記戸体が取り付けられた場合に前記戸体を室内側から前記枠体の室外側端部よりも室外側に配置される位置まで前記枠体側羽根板を移動させる室内−室外移動工程と、
前記室内−室外移動工程後、前記戸体側羽根板が取り付けられた前記戸体を吊り込んで前記軸受け部に前記軸部を挿通する吊り込み工程と、
前記吊り込み工程後、前記移動機構により、前記戸体が前記上枠の室外側端部より室外側から室内側に配置されるように前記枠体側羽根板を移動させる室外−室内移動工程と、
前記室外−室内移動工程後、前記固定用孔に前記固定部材を挿通することにより前記戸体を前記縦枠に固定する固定工程と、を有する戸体の吊り込み方法。
【発明の詳細な説明】
【技術分野】
【０００１】
本発明は、建具及び建具における戸体の吊り込み方法に関する。
【背景技術】
【０００２】
従来、建具において、戸体は枠体の縦枠に丁番を介して接続され、丁番を回動させるとことで開閉されることが知られている。丁番の取り付けは、縦枠の方に丁番の一方の羽根板を取り付け、丁番の他方の羽根板を戸体に取り付けて、丁番の軸部を戸体の軸受けが受けるように上から戸体を降ろす、いわゆるケンドン方式で行われる。
【０００３】
通常、戸体は枠体に接続されたまま使用されるため、一度取り付けられると、戸体の位置を枠体に対して変更できるように構成されていない。しかし、経年の歪みや地震等で戸体と枠体との位置がずれた場合等のため、戸体の位置を変更することができるように構成した建具が提案されている（例えば、特許文献１参照）。特許文献１では、丁番のねじ孔を長孔にすることで、歪みに応じた戸体の固定位置の調整を可能にしている。
【先行技術文献】
【特許文献】
【０００４】
【特許文献１】特開２００９−２８０９５３号公報
【発明の概要】
【発明が解決しようとする課題】
【０００５】
ところで近年、玄関ドア等において意匠性を高めるために、丁番の軸部を屋外側から見えないように構成することが求められている。この場合、丁番の軸部を枠体の室内側寄りに配置して、屋外側をカバー等で隠すことが考えられる。しかし、丁番の軸部を枠体の室内側寄りに配置すると、戸体を枠体に取り付ける際に、枠体の上枠に戸体が干渉するので、ケンドン方式で吊り込むことが困難になるという問題があった。
【０００６】
特許文献１の建具では、戸体のわずかな位置ずれを調整することができるだけで、戸体の可動域を、枠体に対して大きく変えるものではなかった。このため、戸体の取り付け時に戸体が建具の上枠に干渉する場合に、建具の施工を容易にする技術が望まれている。
【０００７】
本発明は、容易に戸体を吊り込むことができる建具を提供することを目的とする。
【課題を解決するための手段】
【０００８】
上記目的を達成するため本発明は、建物の開口部に配置される枠体（例えば、後述の枠体３）と、前記枠体の内側に配置される戸体（例えば、後述の戸体２）と、前記枠体を構成する縦枠（例えば、後述の縦枠３２）の見込み面（例えば、後述の見込み面３２ａ）に取り付けられる枠体側羽根板（例えば、後述の枠体側羽根板４１）と、該枠体側羽根板の室外側端部から上方に向かって突出する軸部（例えば、後述の軸部４２）と、前記戸体の吊元側の側面に取り付けられる戸体側羽根板（例えば、後述の戸体側羽根板４３）と、該戸体側羽根板の前記軸部側の端部に設けられ前記軸部を受ける軸受け部（例えば、後述の軸受け部４４）と、を有し、前記戸体を開閉可能に前記枠体に連結する丁番（例えば、後述の丁番４）と、を備える建具（例えば、後述の建具１）であって、前記軸部及び前記軸受け部は、前記枠体を構成する上枠における室外側端部よりも室内側に配置され、前記戸体を前記上枠の室外側端部よりも室外側から室内側へ見込み方向に移動させることが可能な移動機構を有する建具を提供する。
【０００９】
前記移動機構は、前記枠体側羽根板又は前記縦枠に形成され、見込み方向に延びる長孔（例えば、後述の長孔４１１）と、前記長孔に挿通され、前記縦枠の見込み面に前記枠体側羽根板を見込み方向に移動可能に仮固定する仮固定部材（例えば、後述の取り付けねじ４１３）と、により構成されることが好ましい。
【００１０】
前記枠体側羽根板は、固定部材（例えば、後述の固定ねじ４１４）を挿通して前記縦枠の見込み面に前記枠体側羽根板を固定するための固定用孔（例えば、後述の固定用孔４１２）を有することが好ましい。
【００１１】
前記戸体の吊元側端部に取り付けられ、前記吊元側端部から前記丁番の室外側を覆うように見付け方向に延びるカバー部材（例えば、後述の丁番カバー５）をさらに備え、
前記カバー部材の室外側の見付け面は、前記戸体の室外側の見付け面と面一であることが好ましい。
【００１２】
上記の建具における前記戸体の吊り込み方法であって、前記戸体側羽根板が取り付けられた前記戸体を吊り込んで前記軸受け部に前記軸部を挿通する吊り込み工程（例えば、後述の吊り込み工程Ｓ４）と、前記吊り込み工程後、前記移動機構により、前記戸体が前記上枠の室外側端部より室外側から室内側に配置されるように前記枠体側羽根板を移動させる室外−室内移動工程（例えば、後述の室外−室内移動工程Ｓ６）と、を有する戸体の吊り込み方法が好ましい。
【００１３】
前記吊り込み工程前に、前記移動機構により、前記戸体を室内側から前記枠体の室外側端部よりも室外側に配置されるように前記枠体側羽根板を移動させる室内−室外移動工程（例えば、後述の室内−室外移動工程Ｓ２）と、をさらに有することが好ましい。
【００１４】
上記の建具における前記戸体の吊り込み方法であって、前記長孔に前記仮固定部材を挿通することにより、前記枠体側羽根板を見込み方向に移動可能に仮固定する仮固定工程（例えば、後述の仮固定工程Ｓ１）と、前記仮固定工程後、前記移動機構により、前記戸体が取り付けられた場合に前記戸体を室内側から前記枠体の室外側端部よりも室外側に配置される位置まで前記枠体側羽根板を移動させる室内−室外移動工程と、前記室内−室外移動工程後、前記戸体側羽根板が取り付けられた前記戸体を吊り込んで前記軸受け部に前記軸部を挿通する吊り込み工程と、前記吊り込み工程後、前記移動機構により、前記戸体が前記上枠の室外側端部より室外側から室内側に配置されるように前記枠体側羽根板を移動させる室外−室内移動工程と、を有する戸体の吊り込み方法が好ましい。
【００１５】
前記室内−室外移動工程の後、前記吊り込み工程の前に、前記仮固定部材を一時的に強く締結する一時締結工程（例えば、後述の一時締結工程Ｓ３）と、を有することが好ましい。
【００１６】
上記の建具における前記戸体の吊り込み方法であって、前記移動機構により、前記戸体が取り付けられた場合に前記戸体を室内側から前記枠体の室外側端部よりも室外側に配置される位置まで前記枠体側羽根板を移動させる室内−室外移動工程と、前記室内−室外移動工程後、前記戸体側羽根板が取り付けられた前記戸体を吊り込んで前記軸受け部に前記軸部を挿通する吊り込み工程と、
前記吊り込み工程後、前記移動機構により、前記戸体が前記上枠の室外側端部より室外側から室内側に配置されるように前記枠体側羽根板を移動させる室外−室内移動工程と、
前記室外−室内移動工程後、前記固定用孔に前記固定部材を挿通することにより前記戸体を前記縦枠に固定する固定工程（例えば、後述の固定工程Ｓ７）と、を有する戸体の吊り込み方法が好ましい。
【発明の効果】
【００１７】
本発明によれば、容易に戸体を吊り込むことができる建具を提供することができる。
【図面の簡単な説明】
【００１８】
【図１】第一実施形態の建具を示す正面図である。
【図２】第一実施形態の丁番を示す正面図であり、（ａ）図は平面図、（ｂ）図は丁番の短手方向の側面図である。
【図３】図１のＡ−Ａ断面図であり、（ａ）〜（ｃ）は、第一実施形態の建具における戸体の吊り込み手順を示す。
【図４】図１のＢ−Ｂ部分断面図であり、（ａ）〜（ｅ）は、第一実施形態の建具における戸体の吊り込み手順を示す。
【図５】第一実施形態の建具における戸体の吊り込み方法の手順を示すブロック図である。
【図６】第二実施形態の建具における図３に対応する図であり、（ａ）〜（ｃ）は、第二実施形態の建具における戸体の吊り込み手順を示す。
【図７】第二実施形態の建具における図４に対応する図であり、（ａ）〜（ｄ）は、第二実施形態の建具における戸体の吊り込み手順を示す。
【図８】第三実施形態の建具における図３に対応する図であり、（ａ）〜（ｃ）は、第三実施形態の建具における戸体の吊り込み手順を示す。
【図９】第三実施形態の建具における図４に対応する図であり、（ａ）〜（ｄ）は、第三実施形態の建具における戸体の吊り込み手順を示し、（ｅ）は縦枠の部分断面図を示す。
【発明を実施するための形態】
【００１９】
以下、本発明の第一実施形態について、図面を参照しながら詳細に説明する。
図１は、本発明の第一実施形態に係る建具の正面図である。本明細書において、建具１の奥行方向を見込み方向と言い、建具１の表面に沿う方向を見付け方向と言う。
図１に示すように、建具１は、戸体２と、枠体３と、丁番４と、カバー部材としての丁番カバー５と、を有する。
【００２０】
建具１は、建物の開口部や建物内部の部屋の出入口等に設けられ、室内外を仕切るドアである。建具１は、玄関に設けられる片開きのドアである。
戸体２は、開口部等の出入口を開閉するように取り付けられる長方形の板体であり、ドアの戸先側に取っ手６が設けられている。
枠体３は、開口部等の周囲に設けられる部材であり、開口部等の上方で幅方向に延びる上枠３１及び下枠３３と、上枠３１及び下枠３３の両端部を結ぶ一対の縦枠３２と、により構成される。
【００２１】
図２（ａ）は、第一実施形態の丁番４の平面図を示し、図２（ｂ）は丁番４の短手方向から見た側面図を示す。丁番４は、戸体２を開閉可能に枠体３に連結する部品である。丁番４は、戸体２の長手方向に沿って、上限に間隔を空けて３箇所配置されている。丁番４は、枠体側羽根板４１と、軸体４５と、軸部４２と、戸体側羽根板４３と、軸受け部４４と、を有する。丁番４は、枠体側羽根板４１、軸体４５、及び軸部４２を有するオス丁番と、戸体側羽根板４３及び軸受け部４４を有するメス丁番により構成される。
【００２２】
枠体側羽根板４１は、硬質で平坦な長方形の板体であり、板面が縦枠３２の見込み面３２ａに沿って取り付けられる。
枠体側羽根板４１は、長孔４１１と、固定用孔４１２を有する。
長孔４１１は、枠体側羽根板４１の長手方向に離間して２つ、見込み方向に延びるように形成される。長孔４１１は、長孔４１１の長手方向が、枠体側羽根板４１の短手方向に沿って延びる。
固定用孔４１２は、枠体側羽根板４１の長手方向に沿って縦に３つ、短手方向に２列、計６つ配置される。固定用孔４１２は、長手方向に沿って配置される３つの固定用孔４１２のうち、長手方向外側の固定用孔４１２と、中央側の固定用孔４１２との間に、長孔４１１が位置するように並んでいる。固定用孔４１２には、固定部材としての固定ねじ４１４が取り付けられる。固定ねじ４１４は、皿小ねじである（図３（ｃ）参照）。
【００２３】
枠体側羽根板４１は、戸体２を見込み方向に移動させる移動機構を有している。
移動機構は、長孔４１１と、長孔４１１に挿通して縦枠３２の見込み面３２ａに一時的に固定される仮固定部材としての取り付けねじ４１３（図３（ａ）参照）により構成される。
【００２４】
軸体４５は、枠体側羽根板４１の長手方向に延びる側部に沿って設けられる円柱状の部分である。軸体４５の内部に、円柱状の芯棒４５ａが配置されている。
【００２５】
軸部４２は、枠体側羽根板４１の室外側端部から上方に向かって突出する。軸部４２は、軸体４５の内部に配置された軸体４５の芯棒４５ａが、軸体４５の内部から外部に延出して形成されている。
【００２６】
戸体側羽根板４３は、硬質で平坦な長方形の板体であり、板面が戸体２の吊元側の側面に沿って取り付けられる。図２（ｂ）に示すように、戸体側羽根板４３は、枠体側羽根板４１と同じ幅、長さ及び厚さを有する。
戸体側羽根板４３は、戸体２に取り付けるための戸体固定用孔４３１を有し、ねじにより固定される。戸体固定用孔４３１は、戸体側羽根板４３の長手方向に沿って縦に３つ、短手方向に２列、計６つ配置されている。
【００２７】
軸受け部４４は、戸体側羽根板４３の軸部側端部に長手方向に沿って設けられ、軸部４２を受ける円柱状の部分である。軸受け部４４には、内部に軸部４２を収容可能な円筒状の筒孔４４ａが形成されている。軸受け部４４の直径は、軸体４５の直径と同一であり、軸部４２が軸受け部４４内の筒孔４４ａに挿通された状態で、軸体４５と軸受け部４４の向かい合う端部が一致し、一本の軸が連続して延びるように形成されている。この軸体４５と軸受け部４４で構成される軸が、丁番４のヒンジ部分を構成する。なお、図では省略しているが、軸受け部４４と軸部４２が配置される軸体４５との間には、適宜リング状のスペーサーが配置される。
【００２８】
丁番カバー５は、戸体２の吊元側端部に取り付けられ、戸体２の吊元側端部から、丁番４の室外側を覆うように見付け方向に延びる部材である。図１に示すように、丁番カバー５は、戸体２の長手方向に沿って配置される。丁番カバー５は、取り付け部５１と、表面部５２と、を有し、取り付け部５１と表面部５２とは断面視でＬ字に屈曲するように形成されている（図４（ｃ）〜（ｅ）参照）。丁番カバー５は、例えばアルミ板で構成される。
取り付け部５１は、戸体２の吊元側の見込み面に沿って取り付けられる部分である。
表面部５２は、取り付け部５１から屈曲し、戸体２の室外側の見付け面と面一に延びる。表面部の枠体３側の端部は、見込み方向の室内側に向かってわずかに屈曲している。
【００２９】
図３（ａ）〜図３（ｃ）は、図１のＡ−Ａ断面図であり、建具１における戸体２の吊り込み手順を示す。図４（ａ）〜（ｅ）は、図１のＢ−Ｂ部分断面図であり、建具１における戸体２の吊り込み手順を示す。図５は当該吊り込み手順を示すブロック図である。以下に、図３（ａ）〜（ｃ）及び図４（ａ）〜（ｅ）を参照して、本実施形態の建具１における戸体２の吊り込み方法について説明する。図５に示すように、戸体２の吊り込み方法は、仮固定工程Ｓ１と、室内−室外移動工程Ｓ２と、一時締結工程Ｓ３と、吊り込み工程Ｓ４と、丁番カバー取り付け工程Ｓ５と、室外−室内移動工程Ｓ６と、固定工程Ｓ７と、を有する。
【００３０】
まず、戸体２を枠体３の内側に配置したときに、戸体２と枠体３に丁番４の枠体側羽根板４１及び戸体側羽根板４３をそれぞれ取り付ける位置を、戸体２の大きさや丁番４の数等に応じて予め決定する。決定した位置に沿って、戸体２の吊元側の側面に戸体側羽根板４３を取り付けておく。具体的には、戸体固定用孔４３１にねじ（図示省略）を挿通させて締結する。
【００３１】
次に、仮固定工程Ｓ１では、縦枠３２の見込み面３２ａに枠体側羽根板４１を合わせ、二本の取り付けねじ４１３を２つの長孔４１１それぞれに挿通させて、縦枠３２と枠体側羽根板４１とをゆるく連結する。仮固定工程Ｓ１で、枠体側羽根板４１は、縦枠３２の見込み方向に移動可能に、一時的に仮固定される。仮固定工程Ｓ１は、例えば、工場で行い、仮固定工程Ｓ１を経た枠体３や戸体２を出荷するようにしてもよい。
【００３２】
次に、室内−室外移動工程Ｓ２では、図３（ａ）及び図４（ａ）に示すように、長孔４１１と取り付けねじ４１３により構成される移動機構により、戸体２を取り付けた後で戸体２が枠体３の室外側端部よりも室外側に配置されるような位置まで、枠体側羽根板４１を移動させる。具体的には、軸部２４が室外側端部よりも室外側に位置するように移動させる。仮固定工程Ｓ１の後、室内−室外移動工程Ｓ２では、最終的に移動機構の取り付けねじ４１３は、長孔４１１のもっとも室内側の端部に配置され、軸部２４が枠体３から最も室外側に離間する。室内−室外移動工程Ｓ２以降は、施工現場で行ってもよい。
【００３３】
次に、一時締結工程Ｓ３では、ゆるく連結した取り付けねじ４１３を一時的にしっかりと締結し、軸部４２が見込方向に移動しないように縦枠３２の見込み面３２ａに固定する。
【００３４】
その後、戸体２を上方に持ち上げ、軸部４２と軸受け部４４の位置を合わせる。図３（ａ）に示すように、戸体２は、枠体３の室外側端部よりも室外側に離間しているので、戸体２を上方に持ち上げても戸体２の上端が上枠３１に干渉しない。
【００３５】
次に、吊り込み工程Ｓ４では、図３（ｂ）に示すように、室内−室外移動工程Ｓ２の後、戸体側羽根板４３が取り付けられた戸体２を枠体３に吊り込む。具体的には、戸体側羽根板４３の軸受け部４４を軸部４２に被せるようにして、軸受け部４４の筒孔４４ａに軸部４２を挿通させ、互いに係合させる。吊り込み工程Ｓ４の前の一時締結工程Ｓ３で、軸部４２が縦枠３２の見込み面３２ａに固定されているので、戸体２を枠体３にケンドン方式で吊り込む際、戸体２を安定させて吊り込むことができる。図４（ｂ）に示すように、このとき戸体側羽根板４３は、枠体側羽根板４１と９０度の角度に配置されている。
【００３６】
次に、丁番カバー取り付け工程Ｓ５では、図４（ｃ）に示すように、戸体２に丁番カバー５を取り付ける。具体的には、取り付け部５１を戸体２の吊元側の見込み面に合わせ、表面部５２が軸受け部４４の外側を覆うように配置して、ねじにより戸体２に固定する。
【００３７】
次に、室外−室内移動工程Ｓ６では、図３（ｃ）及び図４（ｄ）に示すように、吊り込み工程の後、取り付けねじ４１３を緩めて、戸体２を枠体３の屋外側端部よりも室内側に配置させるように室内側へ押す。すると、枠体側羽根板４１が、長孔４１１内に取り付けねじ４１３を配置した状態で室内側に移動し、これに伴って長孔４１１内の取り付けねじ４１３が長孔４１１の室外側に位置する。
【００３８】
次に、固定工程Ｓ７では、室外−室内移動工程Ｓ６後、戸体２が室内側に最大限移動したところで、戸体２の位置を決め、取り付けねじ４１３を締結する。そして、６つの固定ねじ４１４を固定用孔４１２に挿通させて、枠体側羽根板４１を縦枠３２の見込み面３２ａに完全に固定する。戸体２の移動距離は、例えば１２ｍｍ程度である。
なお、取り付けねじ４１３は、取り付けねじ４１３を締結した跡が見えないように、縦枠３２にそのまま取り付けられる。このため、枠体側羽根板４１はより強固に取り付けられる。
【００３９】
図４（ｅ）に示すように、戸体２を９０度回転させることで、枠体３の開口部が閉じられる。戸体２が建具１の開口部を閉じた状態で、丁番４の軸体４５（軸部４２）及び軸受け部４４は、枠体３の室外側端部よりも室内側に配置される。図４（ｃ）〜（ｅ）に示すように、戸体２には丁番カバー５が取り付けられているので、室外側からは丁番４が視認されない。
【００４０】
第一実施形態によれば、以下の効果が奏される。
本実施形態によれば、建具１を、建物の開口部に配置される枠体３と、枠体３の内側に配置される戸体２と、枠体３を構成する縦枠３２の見込み面３２ａに取り付けられる枠体側羽根板４１と、枠体側羽根板４１の室外側端部から上方に向かって突出する軸部４２と、戸体２の吊元側の側面に取り付けられる戸体側羽根板４３と、戸体側羽根板４３の軸部４２側の端部に設けられ軸部４２を受ける軸受け部４４と、を有し、戸体２を開閉可能に枠体３に連結する丁番４と、を含んで構成した。また、軸部４２及び軸受け部４４を、枠体３を構成する上枠３１における室外側端部よりも室内側に配置した。また、戸体２を上枠３１の室外側端部よりも室外側から室内側へ見込み方向に移動させることが可能な移動機構を含んで構成した。
本実施形態によれば、丁番４の軸部４２及び軸受け部４４が枠体３の室外側端部よりも室内側に位置しているので、室外側から見たときに丁番４が戸体２の表面から突出することがなく意匠性が高まる。さらに、戸体２が枠体３の上枠３１に干渉するような位置関係であっても、戸体２が枠体３の室外側端部よりも室外側から室内側へ見込方向に移動可能な移動機構を含んでいるので、戸体２を上方に持ち上げてケンドン方式で吊り込んだ後に戸体２を室内側へ移動させることができ、施工性が向上する。よって、容易に戸体２を吊り込むことができる。
【００４１】
本実施形態では、移動機構を、枠体側羽根板４１に形成され、見込み方向に延びる長孔４１１と、長孔４１１に挿通され、縦枠３２の見込み面３２ａに枠体側羽根板４１を見込み方向に移動可能に仮固定する取り付けねじ４１３と、により構成した。これにより、丁番４の枠体側羽根板４１と縦枠３２とが、取り付けねじ４１３により仮固定されているので、取り付けねじ４１３を緩めて長孔４１１内をスライド移動させることで、戸体２を見込み方向に移動させることができる。よって、戸体２を上枠３１よりも室外側で吊り込んで、その後室内側に移動させることができるので、上記と同様の効果を奏することができる。
【００４２】
本実施形態では、枠体側羽根板４１を、固定ねじ４１４を挿通させ縦枠３２の見込み面３２ａに枠体側羽根板４１を固定するための固定用孔４１２を含んで構成した。これにより、戸体２を室内側に移動させた後、縦枠３２と枠体側羽根板４１とを、しっかりと固定することができる。
【００４３】
本実施形態では、戸体２の吊元側端部に取り付けられ、吊元側端部から丁番４の室外側を覆うように見付け方向に延びる丁番カバー５をさらに含んで構成し、丁番カバー５の室外側の見付け面は、戸体２の室外側の見付け面と面一に構成した。丁番カバー５により丁番４を隠すことができるので、建具１の意匠性が高まる。
【００４４】
本実施形態では、以上の建具１における戸体２の吊り込み方法を、戸体側羽根板４３が取り付けられた戸体２を吊り込んで軸受け部４４に軸部４２を挿通する吊り込み工程Ｓ４と、吊り込み工程Ｓ４後、移動機構により、戸体２が上枠３１の室外側端部より室外側から室内側に配置されるように枠体側羽根板４１を移動させる室外−室内移動工程Ｓ６と、を含んで構成した。これにより、戸体２が枠体３の上枠３１に干渉するような位置関係であっても、戸体２を上方に持ち上げてケンドン方式で吊り込んだ後に戸体を室内側へ移動させることができ、施工性が向上する。よって、容易に戸体２を吊り込むことができる。
【００４５】
本実施形態では、吊り込み工程Ｓ４前に、移動機構により、戸体２を室内側から枠体３の室外側端部よりも室外側に配置されるように枠体側羽根板４１を移動させる室内−室外移動工程Ｓ２と、をさらに含んで構成した。これにより、丁番４の軸部４２及び軸受け部４４が枠体３の室外側端部よりも室内側に位置する建具１において、戸体２を枠体３の上枠３１よりも室外側に移動させることができるので、戸体２が上枠３１に干渉せず、容易に戸体２を吊り込むことができる。
【００４６】
本実施形態では、以上の建具１における戸体２の吊り込み方法を、長孔４１１に取り付けねじ４１３を挿通することにより、枠体側羽根板４１を見込み方向に移動可能に仮固定する仮固定工程Ｓ１と、仮固定工程Ｓ１後、前記仮固定工程後、移動機構により、戸体２が取り付けられた場合に戸体２を室内側から枠体３の室外側端部よりも室外側に配置される位置まで枠体側羽根板４１を移動させる室内−室外移動工程Ｓ２と、室内−室外移動工程Ｓ２後、戸体側羽根板４３が取り付けられた戸体２を吊り込んで軸受け部４４に軸部４２を挿通する吊り込み工程Ｓ４と、吊り込み工程Ｓ４後、移動機構により、戸体２が上枠３１の室外側端部より室外側から室内側に配置されるように枠体側羽根板４１を移動させる室外−室内移動工程Ｓ６と、を含んで構成した。これにより、上記と同様の効果を奏することができる。また、仮固定工程Ｓ１を工場で行って出荷し、施工現場で室内−室外移動工程Ｓ２以降を行うことができる。すると、仮固定時に軸部４２の設けられる軸体４５が枠体３から突出しないように固定することで、輸送がしやすくなるとともに、枠体３を開口部に固定する際、丁番４が枠体３に仮に固定されているので邪魔にならず、施工しやすい。
【００４７】
本実施形態では、室内−室外移動工程Ｓ２の後、吊り込み工程Ｓ４の前に、取り付けねじ４１３を一時的に強く締結する一時締結工程Ｓ３と、を含んで構成した。これにより、戸体２を取り付ける際、丁番４の軸部４２（軸体４５）が動かないので、吊り込みが容易になる。
【００４８】
本実施形態では、以上の建具１における戸体２の吊り込み方法を、移動機構により、戸体２が取り付けられた場合に戸体２を室内側から枠体３の室外側端部よりも室外側に配置される位置まで枠体側羽根板４１を移動させる室内−室外移動工程Ｓ２と、室内−室外移動工程Ｓ２後、戸体側羽根板４３が取り付けられた戸体２を吊り込んで軸受け部４４に軸部４２を挿通する吊り込み工程Ｓ４と、吊り込み工程Ｓ４後、移動機構により、戸体２が上枠３１の室外側端部より室外側から室内側に配置されるように枠体側羽根板４１を移動させる室外−室内移動工程Ｓ６と、室外−室内移動工程Ｓ６後、固定用孔４１２に固定ねじ４１４を挿通することにより戸体２を縦枠３２に固定する固定工程Ｓ７と、を含んで構成した。これにより、上記と同様の効果を奏することができる。また、戸体２を吊り込んで取り付けねじ４１３を締結した後で、固定ねじ４１４により戸体を固定するため、戸体２をより強固に固定することができる。
【００４９】
次に、第二実施形態の建具１Ａについて、図６（ａ）〜（ｃ）及び図７（ａ）〜（ｄ）を参照しながら説明する。図６（ａ）〜（ｃ）は、建具１Ａの縦断面であり、図７（ａ）〜（ｄ）は、建具１Ａの部分横断面図であり、共に戸体２の吊り込み手順を示す。
第二実施形態以降の説明において、第一実施形態と共通する点については説明を省略又は簡略化する。また、第一実施形態と共通する構成には、第一実施形態と共通する符号を用いる。
第二実施形態の建具１Ａにおいては、主に、移動機構が、縦枠３２に形成される長孔３２１と、取り付けねじ４１３とにより構成されている点で、第一実施形態と異なる。
【００５０】
図６（ａ）〜（ｃ）に示すように、第二実施形態における縦枠３２は、長孔３２１と、縦枠固定用孔３２２と、を有する。
長孔３２１は、縦枠３２の見込み面３２ａにおいて見込方向に沿って延び、上下に離間して二本形成される。
縦枠固定用孔３２２は、長孔３２１を間に挟むように上下方向に三個配置され、見込方向内側に一列と外側に一列、計二列形成される。縦枠固定用孔３２２は、縦枠３２の見込み面３２ａにおいて、以下に説明する羽根板固定用孔４１２に対応する位置に形成される。
【００５１】
枠体側羽根板４１Ａは、羽根板固定用孔４１２と、長孔取り付け孔４１１Ａと、を有する。
羽根板固定用孔４１２は、第一実施形態における固定用孔４１２と同じ形状を有し、同じ位置に配置される。
長孔取り付け孔４１１Ａは、枠体側羽根板４１Ａを縦枠３２の見込み面３２ａに取り付けたときに、長孔３２１に重なる位置に配置される円形の孔である。長孔取り付け孔４１１Ａは、羽根板固定用孔４１２の間に挟まれるように、上下に離間して二つ形成される。
【００５２】
次に、第二実施形態の建具１Ａにおける戸体２の吊り込み方法について説明する。
縦枠３２の見込み面３２ａに枠体側羽根板４１Ａを当て、長孔３２１に、長孔取り付け孔４１１Ａを重ねる。
次に、図６（ａ）及び図７（ａ）に示すように、後に戸体２を取り付けた際、戸体２が枠体３の室外側端部よりも室外側に配置されるような位置に、枠体側羽根板４１Ａを配置する。枠体側羽根板４１Ａの位置は、第一実施形態と同様である。そして、取り付けねじ４１３を長孔取り付け孔４１１Ａから長孔３２１に挿通させて、一時的にしっかりと締結する。この時、軸部４２が見込方向に移動しないように固定する。第二実施形態では、図７（ａ）〜（ｃ）に示されるように、縦枠３２の内部の長孔３２１の裏側にナット４１５が配置され、取り付けねじ４１３を固定できるように構成されている。
【００５３】
次に、戸体２を上方に持ち上げ、軸部４２と軸受け部４４の位置を合せる。
次に、図６（ｂ）及び図７（ｂ）に示すように、戸体側羽根板４３が取り付けられた戸体２を枠体３に吊り込む。
次に、図７（ｃ）に示すように、戸体２に丁番カバー５を取り付ける。
【００５４】
次に、図６（ｃ）及び図７（ｄ）に示すように、戸体２を吊り込んだ後、ナット４１５を緩めて取り付けねじ４１３を緩める。そして、取り付けねじ４１３を長孔３２１内で摺動させつつ、戸体２を枠体３の屋外側端部よりも室内側に配置させるように室内側へ押す。
【００５５】
次に、戸体２が室内側に移動したところで、戸体２の位置を決め、再び取り付けねじ４１３をナット４１５と締結する。そして、６つの固定ねじ４１４を羽根板固定用孔４１２に挿通させて、枠体側羽根板４１Ａを縦枠３２の見込み面３２ａに完全に固定する。
【００５６】
第二実施形態では、移動機構を、縦枠３２に形成され、見込み方向に延びる長孔３２１と、長孔３２１に挿通され、縦枠３２の見込み面３２ａに枠体側羽根板４１を見込み方向に移動可能に仮固定する取り付けねじ４１３と、により構成した。これにより、戸体２を上枠３１よりも室外側で吊り込んで、その後室内側に移動させることができるので、上記と同様の効果を奏することができる。
【００５７】
次に、第三実施形態の建具１Ｂについて、図８（ａ）〜（ｃ）及び図９（ａ）〜（ｅ）を参照しながら説明する。図８（ａ）〜（ｃ）は、建具１Ｂの縦断面であり、図９（ａ）〜（ｄ）は、建具１Ａの部分横断面図であり、共に戸体２の吊り込み手順を示す。図９（ｅ）は、縦枠３２の見込み面３２ａ側の部分断面図を示す。
第三実施形態の建具１Ｂにおいては、長孔４１１、３２１が形成されず、移動機構として、枠体側羽根板４１Ｂのスライド移動を可能にするスライド枠３５が縦枠３２の見込み面３２ａに取り付けられる点で第一及び第二実施形態と異なる。
【００５８】
図８（ａ）に示すように、スライド枠３５は、上下に離間する一対の枠部３５１により構成される。枠部３５１は、見込方向に沿う長さが、枠体側羽根板４１Ｂの見込方向の幅に対応している。枠部３５１は、図９（ｅ）に示すように、当接部３５１ａと、保持部３５１ｂと、を有する。
当接部３５１ａは、見込み面３２ａに当接する平坦な面であり、図８（ａ）等に示すように見込方向に長い長方形である。当接部３５１ａは、ねじにより見込み面３２ａに固定される。
保持部３５１ｂは、当接部３５１ａの短手方向の端部から、見込み面３２ａから外側へ離れる方向に起立する。また、図９（ｅ）に示すように、保持部３５１ｂは、起立した部分の上端から見込み面３２ａと平行な方向に延び、全体で断面視Ｌ字型である。保持部３５１ｂは、向かい合う一対の枠部３５１が、枠部３５１同士の間に枠体側羽根板４１Ｂをスライド移動可能に保持する空間を形成するように配置される。すなわち、保持部３５１ｂは、一対の枠部３５１が見込み面３２ａに配置された状態で、当接部３５１ａの短手方向の端部の互いに向き合う側に配置される。
【００５９】
第三実施形態では、一対の枠部３５１と縦枠３２の見込み面３２ａとで形成される空間に、枠体側羽根板４１Ｂを挿入し、縦枠３２の見込み面３２ａに沿うように配置する。
【００６０】
次に、図８（ａ）に示すように、後に戸体２を取り付けた際、戸体２が枠体３の室外側端部よりも室外側に配置されるような位置まで枠体側羽根板４１Ｂを移動させる。枠体側羽根板４１Ｂを移動させる位置は、第一実施形態と同様である。
【００６１】
枠体側羽根板４１は、縦枠３２の下方側に配置された枠部３５１の保持部３５１ｂにより支持されている。
その後、戸体２を上方に持ち上げ、軸部４２と軸受け部４４の位置を合せる。
次に、図８（ｂ）及び図９（ｂ）に示すように、戸体側羽根板４３が取り付けられた戸体２を枠体３に吊り込む。
次に、図９（ｃ）に示すように、戸体２に丁番カバー５を取り付ける。
【００６２】
次に、図８（ｃ）及び図９（ｄ）に示すように、戸体２を吊り込んだ後、戸体２を枠体３の屋外側端部よりも室内側に配置させるように室内側へ押す。すると、枠体側羽根板４１Ｂが、スライド枠３５内をスライド移動して室内側へ移動する。枠体側羽根板４１Ｂは、室内側に移動しきると、枠部３５１内に収まるようになっている。
【００６３】
次に、戸体２が室内側に最大限移動したところで、戸体２の位置を決め、固定ねじ４１４を固定用孔４１２に挿通させて、枠体側羽根板４１Ｂを縦枠３２の見込み面３２ａに完全に固定する。
【００６４】
第三実施形態によっても、第一及び第二実施形態と同様の効果を奏する。
【００６５】
なお、本発明は上記実施形態に限定されるものではなく、本発明の目的を達成できる範囲での変形、改良等は本発明に含まれる。
例えば、上記実施形態では、丁番４は戸体２の長手方向に沿って３箇所配置されているが、丁番の数や配置箇所は、戸体２の大きさや意匠によって変更される。また、丁番カバー５は、戸体２の長手方向に沿って上下に連続しているが、これに限られない。丁番４が設けられる位置に対応して部分的に設けられてもよい。
【００６６】
また、第一実施形態では、施工時に取り付けねじ４１３を仮固定する仮固定工程Ｓ１及び仮固定した後、室内から上枠３１の室外側端部よりも室外に枠体側羽根板４１を移動させる室内−室外移動工程Ｓ２を経て戸体２を取り付けているが、これに限られない。仮固定工程Ｓ１及び室内−室外移動工程Ｓ２は、省略してもよい。
【００６７】
例えば、工場等で一時締結工程Ｓ３から開始するようにし、取り付けねじ４１３を、枠体側羽根板４１の長孔４１１のもっとも室内側の端部に近い位置（戸体２を取り付けた後で戸体２が枠体３の室外側端部よりも室外側に配置されるような位置）（図３（ａ）参照）で予めしっかりと締結しておく。その後、吊り込み工程Ｓ４〜固定工程Ｓ７を経て、吊り込んだ戸体２を移動機構により室内側に移動させるようにしてもよい。この方法によれば、仮固定工程Ｓ１及び室内−室外移動工程Ｓ２を施工現場で行う必要がないので、施工手順を簡略化することができる。
【００６８】
また、上記実施形態では、玄関に設けられる建具１を例に説明しているが、これに限られない。建物の屋内に設けられ、室内外の境界に配置される建具であってもよい。
【符号の説明】
【００６９】
１    建具
２    戸体
３    枠体
４    丁番
５    丁番カバー（カバー部材）
３２  縦枠
３２ａ見込み面
４１  枠体側羽根板
４２  軸部
４３  戸体側羽根板
４４  軸受け部
４１１  長孔
４１３  取り付けねじ（仮固定部材）
４１２  固定用孔
４１４  固定ねじ（固定部材）
【図１】
2018127861.tif 000003
【図２】
2018127861.tif 000004
【図３】
2018127861.tif 000005
【図４】
2018127861.tif 000006
【図５】
2018127861.tif 000007
【図６】
2018127861.tif 000008
【図７】
2018127861.tif 000009
【図８】
2018127861.tif 000010
【図９】
2018127861.tif 000011